(57)【要約】【課題】  フィルター部材に備わっている孔を大きくして通風性能を向上させることによりランプユニットなどの発熱源の過度の温度上昇を抑制する作用と、金属製の異物の筐体内への偶発的な侵入を遮蔽する作用との両方を改善することと併せ、フィルター部材によって捕集した異物を取り除くときに不都合が起こらないようにする。【解決手段】  プロジェクタの筐体１の通風口３にフィルター部材３を配備して異物の侵入を防止する。フィルター部材３を磁性体で形成し、そのフィルター部材３に永久磁石５を吸着させて磁化する。フィルター部材３をセット位置に対して差込み抜取り操作するときにも、永久磁石５がフィルター部材３に吸着したままになるように構成する。【選択図】        図１
2007293116.tif 000002
【特許請求の範囲】
【請求項１】
筐体に設けられた通風口に通風性を有するフィルター部材が配備され、そのフィルター部材によって異物の侵入を阻止するように構成してある通風口を有する電気機器において、
当該電気機器が、箱形に形成された上記筐体に、ランプユニットとエンジンとレンズユニットとファンとを収容し、かつ、上記通風口が、上記ファンの回転によって外気を筐体の内部に取り入れる吸気側通風口と、そのファンの回転によって筐体の内部の高温空気を外部へ排出する排気側通風口とに分かれている可搬型のプロジェクタであって、そのプロジェクタが、持ち運び可能なバッグに収容可能な大きさに構成され、
多数の孔を備えた多孔板でなる上記フィルター部材が、上記筐体に設けられたガイド部により案内されて上記通風口を覆うセット位置に対し差込み抜取り可能に構成されていると共に、上記セット位置に差し込まれてそのセット位置に装着されたフィルター部材に吸着してそのフィルター部材に磁性を付与し、かつ、当該フィルター部材が上記ガイド部に案内されてセット位置から抜き取られる工程でそのフィルター部材に吸着して当該フィルター部材に磁性を付与した状態を保つ永久磁石が上記筐体に装備され、
上記フィルター部材に、その磁性が消失したときに当該フィルター部材から脱落する異物を受け止める異物受け部が設けられ、
上記筐体に、上記フィルター部材が上記セット位置に装着されたことを検出して上記プロジェクタの主電源の投入を許可し、かつ、上記フィルター部材が上記セット位置から離脱したことを検出して上記主電源の投入を阻止するインターロックスイッチが備わっていることを特徴とする通風口を有する電気機器。
【請求項２】
筐体に設けられた通風口に通風性を有するフィルター部材が配備され、そのフィルター部材によって異物の侵入を阻止するように構成してある通風口を有する電気機器において、
多数の孔を備えた多孔板でなる上記フィルター部材が上記通風口を覆うセット位置に対し着脱可能とされていると共に、そのセット位置に装着された上記フィルター部材に吸着してそのフィルター部材に磁性を付与する永久磁石が上記筐体に装備されていることを特徴とする通風口を有する電気機器。
【請求項３】
上記フィルター部材を上記セット位置に対し差込み抜取り可能に案内するガイド部が上記筐体に備わり、上記永久磁石は、上記フィルター部材が上記ガイド部に案内されてセット位置から抜き取られる工程でそのフィルター部材に吸着して当該フィルター部材に磁性を付与した状態を保つように上記筐体に装備されている請求項２に記載した通風口を有する電気機器。
【請求項４】
上記フィルター部材に、その磁性が消失したときに当該フィルター部材から脱落する異物を受け止める異物受け部が設けられている請求項３に記載した通風口を有する電気機器。
【請求項５】
上記通風口が、筐体に形成された複数の開口の集まりによって形成されているのに対し、上記セット位置で上記フィルター部材を複数の上記開口の並び方向に移動させることにより、そのフィルター部材を形成している多孔板の多数の孔が、上記開口に重なり合って通風口を開放する位置と、相隣接する開口の相互間に位置して上記開口を仕切る仕切り梁部によって塞がれる位置との間で変位可能とされている請求項１ないし請求項４のいずれか１項に記載した通風口を有する電気機器。
【発明の詳細な説明】
【技術分野】
【０００１】
本発明は、通風口を有する電気機器、たとえば、プロジェクタのように、筐体の内部温度が過度に上昇してしまうことを防ぐために筐体の内部に通風口を経て外気を取り入れた後、筐体の内部の高温空気を別の通風口を経て外部へ排出するように構成されている通風口を有する電気機器に関する。
【背景技術】
【０００２】
プロジェクタ装置において、ファンを内蔵している筐体に冷却孔と排気孔とを具備させ、ファンの回転によって冷却孔から流入させた空気（吸気流）により筐体内の基板上の発熱体を冷却し、熱せられた空気（排気流）を排気孔から筐体の外部に排出することにより筐体内部の温度上昇を抑制することが従来より知られている（たとえば、特許文献１参照）。そして、この特許文献１には、排気孔の開口部を大きくすると、その排気口から異物や流動物が侵入に関する課題が発生するので、その課題を解決するために、排気孔から侵入した異物や流動物を傾斜板により案内して筐体壁面に集めた後、その壁面に設けた排出孔から外部へ排出することが記載されている。
【０００３】
また、メタルハイドライトランプ等のランプを備えたユニット形式の光源装置を有する投写型表示装置では、ランプが配置されている区画室の通気を確保してランプの熱負荷を低減するための対策や、ランプが破裂した場合にランプ破片が外部に飛散することを防ぐための対策についての研究も行われている（たとえば、特許文献２参照）。
【０００４】
さらに、投写型表示装置において、ランプ交換用蓋の着脱時の安全性を高めることのできるインターロックスイッチを装備させるということが従来より公知である（たとえば、特許文献３参照）。
【０００５】
ところで、筐体の内部温度が上昇しやすい電気機器としてのプロジェクタをコンパクトに構成して可搬型（携帯型）とする場合の有利な概略構成を図９に説明的に示してある。このプロジェクタでは、筐体１に比較的大きな２つの通風口２を具備させ、その一方を吸気側通風口２１、その他方を排気側通風口２５として形成してあると共に、それらの各通風口２１，２５に、多孔板３１，３５でなるフィルター部材３を配備してある。そして、筐体１に内蔵したファン４の回転によって発生する吸引作用によって吸気側通風口２１から外気を筐体１の内部に取り入れて筐体１に内蔵されている発熱源となるランプユニット１００やエンジン２００、パワーユニット３００などを冷却することによりそれらの過度の温度上昇を抑制するのに対し、冷却に使われた高温空気を排気側通風口２５から筐体１の外部へ排出するようにしている。
【０００６】
このような通風口２を有する電気機器にあっては、フィルター部材３としての多孔板３１，３５の通風性能を高めて十分な通風量を得ることがランプユニット１００などの発熱源の温度上昇を抑制する上で有益である。そして、多孔板３１，３５の通風性能を高めるためには、それらの多孔板３１，３５に備わっている多数の孔を大きくして全体の通風面積を増大させることが必要になる。しかし、多孔板３１，３５の孔をいたずらに大きくして全体の通風面積を増大させると、フィルター部材３に要求される塵芥や異物を遮蔽する機能が損なわれる。特に、可搬型（携帯型）プロジェクタのようにバッグなどに入れて持ち歩くといった取り扱いがなされる電気機器では、電源が投入されているか否かにかかわらず、多孔板３１，３５の大きな網目状の孔を通してバッグなどに入っているホチキスの金属製綴じ針や紙綴じ用金属製クリップといった小さな異物が筐体１の内部に偶発的に入り込んで排出されなくなる可能性が大きくなる。そのため、その電気機器に電源を投入した後の使用中に、上記したランプユニット１００などの発熱源が発生する熱で筐体１の内部に入り込んだままになっている異物が熱せられ、可燃物である樹脂成形体でなる筐体１やその筐体１内の可燃物を発火させるという危険性が生じる。なお、携帯型機器の開口部については、網目の遮蔽板を取り付けてホチキスの針などの小さな金属物体が筐体内に入って発火の危険を生じるということを回避するための対策を講じるべき旨の安全規定もある。
【特許文献１】特開２００５−１０２３４号公報
【特許文献２】特開平１０−２５４０６１号公報
【特許文献３】特開２０００−３２１６６４号公報
【発明の開示】
【発明が解決しようとする課題】
【０００７】
上記したところから判るように、プロジェクタなどの通風口を有する電気機器では、塵芥や異物を遮蔽する機能を向上させるために通風口に配備されている多孔板３１，３２でなるフィルター部材３，３の多数の孔の大きさを小さくすると、それに見合って通風性能が低下し、ランプユニット１００などの発熱源の過度の温度上昇を抑制する作用が低下するのに対し、塵芥や異物を遮蔽する機能を向上させるために上記フィルター部材３，３の多数の開口の大きさを大きくすると、それに見合って通風性能が向上してランプユニット１００などの発熱源の過度の温度上昇を抑制する作用が高まるけれども、その反面で、塵芥や異物を遮蔽する機能が低下し、特に可搬型の電気機器では金属製の異物の筐体１内への偶発的な侵入によって可燃物を発火させるという危険性が高まる。
【０００８】
そこで、これらの二律背反する事項の両方を改善することが望まれるのであるけれども、上掲の特許文献１によって提案されている技術は、排気孔の開口部から筐体内に侵入した異物などを筐体内の１箇所に集めて排出するというものであるに過ぎず、特許文献２は、破裂したランプの破片が外部に飛散することを防ぐための対策を提案しているに過ぎないので、これらの技術をどのような適用しても上記した二律背反する事項の両方を改善することは不可能である。
【０００９】
また、特許文献３に記載されている技術は、インターロックスイッチを設けることによって安全性を高めるというものであるに過ぎないので、上記した二律背反する事項の両方の改善策にはなり得ない。
【００１０】
本発明は以上の状況の下でなされたものであり、上記した二律背反する事項、すなわち、フィルター部材に備わっている多数の孔の大きさを大きくして通風性能を向上させることによりランプユニットなどの発熱源の過度の温度上昇を抑制する作用と、特に可搬型の電気機器に要求される金属製の異物の筐体内への偶発的な侵入を遮蔽する作用との両方を改善することによって、発熱源の過度の温度上昇を抑制する作用に優れ、しかも、筐体内に異物が偶発的に侵入することを防止する作用に優れている通風口を有する電気機器を提供することを目的とする。
【００１１】
また、本発明は、上記したフィルター部材に金属製の異物を捕集する機能を持たせた場合、捕集させた異物をフィルター部材から取り除く際に、その異物が筐体の内部に残留するという事態を防ぐことのできる通風口を有する電気機器を提供することを目的とする。
【課題を解決するための手段】
【００１２】
本発明に係る通風口を有する電気機器は、筐体に設けられた通風口に通風性を有するフィルター部材が配備され、そのフィルター部材によって異物の侵入を阻止するように構成してある通風口を有する電気機器において、多数の孔を備えた多孔板でなる上記フィルター部材が上記通風口を覆うセット位置に対し着脱可能とされていると共に、そのセット位置に装着された上記フィルター部材に吸着してそのフィルター部材に磁性を付与する永久磁石が上記筐体に装備されている。
【００１３】
この構成であれば、セット位置に装着されたフィルター部材に付与されている磁性によって金属製の異物、たとえば上記したホチキスなどの綴じ針や紙綴じ用のクリップなどがフィルター部材に引き寄せられて吸着する。したがって、当該電気機器をバッグなどに入れて持ち歩くようなときに、バッグなどに入っている金属製の上記異物が、多数の孔を備えるフィルター部材の上記孔を通過してしまう前にそのフィルター部材に引き寄せられて吸着保持されるようになり、それらが筐体内に侵入してしまうという事態が未然に防止される。したがって、当該電気機器の使用中に筐体内に入ったままになっている金属製の異物が加熱されて発火の原因になるという事態が起こらなくなる。このような作用は、フィルター部材の開口を大きくしても発揮されるため、その開口を大きくして通風性能を向上させることも併せて可能になる。したがって、筐体内への金属製の異物の侵入を防ぐ作用と通風性能を向上させる作用との両方が改善される。
【００１４】
加えて、この発明では、フィルター部材が通風口を覆うセット位置に対し着脱可能とされているので、フィルター部材のセット位置でそのフィルター部材に吸着保持されることにより捕集された金属製の異物を、フィルター部材をセット位置から離脱させた後で取り除くことが可能になる。その結果、フィルター部材によって捕集された異物が筐体の内部に入ってそのまま残留してしまうという事態を防ぐことが可能になる。
【００１５】
本発明では、上記フィルター部材を上記セット位置に対し差込み抜取り可能に案内するガイド部が上記筐体に備わり、上記永久磁石は、上記フィルター部材が上記ガイド部に案内されてセット位置から抜き取られる工程でそのフィルター部材に吸着して当該フィルター部材に磁性を付与した状態を保つように上記筐体に装備されている、という構成を採用することが望ましい。これによれば、フィルター部材をそのセット位置から抜き取る工程でそのフィルター部材が永久磁石の作用によって磁性を帯びたまま保たれるために、フィルター部材に吸着して捕集された異物が、フィルター部材をそのセット位置から抜き取る工程を終了するまではそのフィルター部材に吸着したままになる。そのため、上記したところの、フィルター部材によって捕集された異物が筐体の内部に入ってそのまま残留してしまうという事態を防ぐことができる、という作用が確実に発揮される。
【００１６】
本発明では、上記フィルター部材に、その磁性が消失したときに当該フィルター部材から脱落する異物を受け止める異物受け部が設けられていることが望ましい。これによれば、磁性を帯びたフィルター部材で捕集された金属製の異物が磁性を消失したフィルター部材から脱落したときに、その異物がフィルター部材の異物受け部によって受け止められる。そのため、異物を集めてごみ箱などにまとめて捨てることができるという利便がある。      
【００１７】
本発明では、上記通風口が、筐体に形成された複数の開口の集まりによって形成されているのに対し、上記セット位置で上記フィルター部材を複数の上記開口の並び方向に移動させることにより、そのフィルター部材を形成している多孔板の多数の孔が、上記開口に重なり合って通風口を開放する位置と、相隣接する開口の相互間に位置して上記開口を仕切る仕切り梁部によって塞がれる位置との間で変位可能とされている、という構成を採用することが可能である。これによれば、たとえば電気機器をバッグに入れて持ち運ぶ際に、多孔板の孔が仕切り梁部で塞がれた状態にしておくと、持ち運び中にかばんに入っているクリップなどの金属製の異物がフィルター部材に吸着して捕集されてかばんの中を掃除する作用が得られ、しかも、フィルター部材の孔からその異物が筐体の内部に入り込むという事態が起こらなくなる。
【００１８】
本発明に係る通風口を有する電気機器は、筐体に設けられた通風口に通風性を有するフィルター部材が配備され、そのフィルター部材によって異物の侵入を阻止するように構成してある通風口を有する電気機器において、当該電気機器が、箱形に形成された上記筐体に、ランプユニットとエンジンとレンズユニットとファンとを収容し、かつ、上記通風口が、上記ファンの回転によって外気を筐体の内部に取り入れる吸気側通風口と、そのファンの回転によって筐体の内部の高温空気を外部へ排出する排気側通風口とに分かれている可搬型のプロジェクタであって、そのプロジェクタが、持ち運び可能なバッグに収容可能な大きさに構成され、多数の孔を備えた多孔板でなる上記フィルター部材が、上記筐体に設けられたガイド部により案内されて上記通風口を覆うセット位置に対し差込み抜取り可能に構成されていると共に、上記セット位置に差し込まれてそのセット位置に装着されたフィルター部材に吸着してそのフィルター部材に磁性を付与し、かつ、当該フィルター部材が上記ガイド部に案内されてセット位置から抜き取られる工程でそのフィルター部材に吸着して当該フィルター部材に磁性を付与した状態を保つ永久磁石が上記筐体に装備され、上記フィルター部材に、その磁性が消失したときに当該フィルター部材から脱落する異物を受け止める異物受け部が設けられ、上記筐体に、上記フィルター部材が上記セット位置に装着されたことを検出して上記プロジェクタの主電源の投入を許可し、かつ、上記フィルター部材が上記セット位置から離脱したことを検出して上記主電源の投入を阻止するインターロックスイッチが備わっている、という構成を採用することによっていっそう具体化される。この発明の作用などは後述する実施形態を参照して詳細に説明する。
【発明の効果】
【００１９】
以上のように、本発明によれば、フィルター部材に備わっている多数の孔の大きさを大きくして通風性能を向上させることによりランプユニットなどの発熱源の過度の温度上昇を抑制する作用と、特に可搬型の電気機器に要求される金属製の異物の筐体内への偶発的な侵入を遮蔽する作用との両方が改善されるようになり、発熱源の過度の温度上昇を抑制する作用に優れ、しかも、筐体内に異物が偶発的に侵入することを防止する作用に優れている通風口を有する電気機器を提供することが可能になる。そのため、ユーザにとっては使用中に発火するという危険を伴うことなく安全に当該電気機器を使用することが可能になる。また、フィルター部材に磁性を付与する手段として永久磁石を用いているので、永久磁石を追加するという簡単な構成で当該電気機器の安全性が向上し、当該電気機器の量産性も高まるため、多孔板自体を磁石で形成する場合に比べてコスト的に安価に提供するという長所がある。
【００２０】
その上、本発明によれば、フィルター部材によって捕集した金属製の異物をそのフィルターから取り除くときに、フィルター部材をそのセット位置から取り外すことができるために、フィルター部材によって捕集した金属製の異物が筐体の内部に入ってそのまま残留するという事態を未然に防ぐことが可能になる。
【発明を実施するための最良の形態】
【００２１】
図１は本発明に係る通風口を有する電気機器の実施形態を説明的に示した概略斜視図、図２は同電気機器のフィルター部材を取り外した状態を説明的に示した概略斜視図である。
【００２２】
図１に示した電気機器は持ち運び可能なバッグに入れて持ち歩くという取り扱いが可能な可搬型（携帯型）のプロジェクタに相当しており、偏平な箱形の筐体１の内部に、発熱源となるランプユニット１００、エンジン２００、パワーユニット３００などのほか、空気流を生じさせるためのファン４や投写用のレンズユニット４００が内蔵されている。このプロジェクタでは、レンズユニット４００から投写された画像がその前方のスクリーンに映し出される。
【００２３】
このプロジェクタにおいて、ランプユニット１００は最も高温を発生する発熱源であり、エンジン２００やパワーユニット３００も相応の高温を発生する発熱源である。そして、これらの発熱源が過度に温度上昇すると、ランプユニット１００にランプ破裂などの障害が発生したりエンジン２００やパワーユニット３００にもある種の障害が発生したりする可能性が生じる。
【００２４】
そこで、筐体１に内蔵されているファン４，４の回転によって発生する空気流が筐体１の内部と外部との間で流通するようにその筐体１の相対向する一対の壁部１２，１３にそれぞれ比較的大きな通風口２，２を開口させ、一方側の通風口２を吸気側通風口２１として形成し、他方側の通風口２を排気側通風口２５として形成してある（図９参照）。こうしておくと、ファン４，４の回転に伴い、図１矢印Ａのように外気が壁部１２の吸気側通風口２１から筐体１内に取り入れられて上記した発熱源が冷却されることによりその発熱源の過度の温度上昇が抑制され、また、筐体１の内部で発生した高温空気流が図１矢印Ｂのように壁部１３の排気側通風口２５から筐体１の外部へ排出される。しかも、筐体１の内部全体に空気流が行き渡って発熱源の過度の温度上昇が効率よく抑制される。
【００２５】
上記した吸気側通風口２１や排気側通風口２５には、磁性体である金属製の多孔板３１，３５が配備されている。これらの多孔板３１，３５は多数の孔を有するフィルター部材３，３として塵芥や異物の侵入を阻止する機能を発揮する。また、上記した吸気側通風口２１や排気側通風口２５を覆うセット位置に装着されているそれぞれのフィルター部材３，３の下側端部の１箇所に永久磁石５，５を吸着させてそれらのフィルター部材３，３を磁化させてある。そのため、フィルター部材３，３には磁性が付与されている。
【００２６】
このように、吸気側通風口２１や排気側通風口２５に配備されているフィルター部材３，３に磁性が付与されていると、それらの磁性により金属製の異物、たとえばホチキスの綴じ針や紙綴じ用のクリップなどがフィルター部材３，３に引き寄せられて吸着する。したがって、このプロジェクタをバッグ（不図示）などに入れて持ち歩くようなときに、カバッグの底などに入ったまま残っている金属製の異物が、たとえば一方のフィルター部材３の孔を通過してしまう前にそのフィルター部材３に引き寄せられて吸着保持され、捕集される。同様のことが、他方のフィルター部材３についても云える。そのため、金属製の異物が筐体１の内部に侵入してそのまま残留してしまうという事態が未然に防止されることになり、プロジェクタの使用中に筐体１の内部に入ったまま残留している金属製の異物が加熱されて発火の原因になるという事態か起こらなくなる。そして、フィルター部材３，３の磁性による金属製の異物に対する吸着作用は、それらのフィルター部材３，３の孔を大きくしても発揮されるため、この実施形態ではその孔を大きくして通風性能も向上させてある。
【００２７】
図３は排気側通風口２５に対するフィルター部材３のセット位置を概略で示した要部の拡大縦断面図、図４はそのセット位置からフィルター部材３を抜き出した状態を概略で示した要部の拡大縦断面図、図５は図３に相応するフィルター部材３のセット位置を概略で示した要部の横断平面図である。
【００２８】
図３〜図５に示したように、筐体１には、その壁部１３の前後の近傍箇所に上下方向に伸びる溝形のガイド部１５が備わっていると共に、そのガイド部１５の下端では、筐体１がスリット状に欠除されてその欠除箇所がフィルター部材３の差込み口１６とされている。また、その差込み口１６の内側に段付部１７が備わっている。一方、上記した永久磁石５は、その段付部１７の直近箇所に設けられた磁石保持部１８に、ガイド部１５に対する遠近方向の移動遊びが付与された状態で保持されている。さらに、差込み口１６の内側上端部にはインターロックスイッチ６が取り付けられている。このインターロックスイッチ６は、フィルター部材３が、排気側通風口２５を覆うセット位置に装着されたことを検出してプロジェクタの主電源の投入を許可し、かつ、フィルター部材３が上記セット位置から離脱したことを検出して主電源の投入を阻止する作用を発揮する。
【００２９】
この構成を採用したことにより、フィルター部材３をガイド部１５により案内させてセット位置に対し差し込んだり抜き取ったりすることが可能である。また、セット位置に差し込まれてセット位置に装着されたフィルター部材３には、永久磁石５が吸着してそのフィルター部材３に磁性を付与するようになる。さらに、フィルター部材３をガイド部１５に案内させてセット位置から抜き取る工程では、永久磁石５がフィルター部材３に吸着したまま相対的に滑ってフィルター部材３に磁性を付与した状態を保つようになる。
【００３０】
したがって、セット位置に装着されていたフィルター部材３の全体が図４のようにセット位置から完全に抜き取られるまでは、そのフィルター部材３には永久磁石５が吸着したままになっているために、そのフィルター部材３が磁化されたままになっている。その結果、セット位置に配備されたフィルター部材３に吸着して捕集された金属製の異物は、そのフィルター部材３の全体がセット位置から完全に抜き取られるまではそのフィルター部材３に吸着して捕集されたままになる一方で、フィルター部材３の全体が図４のようにセット位置から完全に抜き取られ、フィルター部材３が永久磁石５から離れることによってその磁性が消失したときにはじめてフィルター部材３から脱落する。このことから、セット位置に装着されていたフィルター部材３に吸着して捕集された金属製の異物は、フィルター部材３の全体がセット位置から抜き取られる工程でそのフィルター部材３から脱落してしまうという事態が起こらなくなり、そのことが、筐体１の中に異物が入ってそのまま残留してしまうということを防ぐことに役立つ。
【００３１】
ところで、上記のように、フィルター部材３の全体が図４のようにセット位置から完全に抜き取られて永久磁石５から離れた時点で、フィルター部材３から異物が脱落する構成としてあるだけでは、脱落した異物が床の上に散乱したりすることになる。そこで、この点を改善するために、図６に示したようにフィルター部材３の下端に異物受け部３ａを具備させておくことが望まれる。すなわち、図６はフィルター部材３の下端部分の拡大側面図であり、この事例では、フィルター部材３の下端部分を外側に湾曲させて樋形の異物受け部３ａをフィルター部材３に具備させてある。こうしておくと、フィルター３から脱落した異物Ｗが、床などに散乱せずに、その異物受け部３ａに受け止められて集まるので、それをごみ箱にまとめて捨てることができるようになるという利便がある。
【００３２】
以上では、排気側通風口２５に対するフィルター部材３について説明したけれども、吸気側通風口２１に対するフィルター部材３についても同様の構成が採用されている。
【００３３】
次に、図７及び図８は変形例の要部の側面図である。この事例では、通風口２が筐体１に格子配列された複数の開口１９の集まりによって形成されているのに対し、フィルター部材３にも格子配列された複数の孔が形成されてる。そして、セット位置でフィルター部材３を複数の開口１９の並び方向Ｘに移動させることにより、そのフィルター部材３を形成している多孔板の多数の孔３７が、図７のように上記開口１９に重なり合って通風口２を開放する位置と、図８のように相隣接する開口１９の相互間に位置してそれの開口１９を仕切る仕切り梁部１９ａによって塞がれる位置との間で変位可能としてある。
【００３４】
この構成であると、フィルター部材３の孔３７が仕切り梁部１９ａで塞がれた状態にしてプロジェクタをバッグに入れて持ち運ぶときに、かばんに入っているクリップなどの金属製の異物がフィルター部材３に吸着して捕集されてかばんの中を掃除する作用が得られるだけでなく、フィルター部材３の孔３７からその異物が筐体１の内部に入り込むという事態が起こらなくなるという利点がある。
【図面の簡単な説明】
【００３５】
【図１】本発明に係る通風口を有する電気機器の実施形態を説明的に示した概略斜視図である。
【図２】同電気機器のフィルター部材を取り外した状態を説明的に示した概略斜視図である。
【図３】フィルター部材のセット位置を概略で示した要部の拡大縦断面図である。
【図４】セット位置からフィルター部材を抜き出した状態を概略で示した要部の拡大縦断面図である。
【図５】図３に相応するフィルター部材のセット位置を概略で示した要部の横断平面図である。
【図６】フィルター部材の下端部分の拡大側面図である。
【図７】通風口を開いた状態での変形例の要部の側面図である。
【図８】通風口を閉じた状態での変形例の要部の側面図である。
【図９】可搬型プロジェクタの概略構成の一例を示した説明図である。
【符号の説明】
【００３６】
１  筐体
２  通風口
３  フィルター部材
３ａ  異物受け部
４  ファン
５  永久磁石
６  インターロックスイッチ
１５  ガイド部
１９ａ  仕切り梁部
２１  吸気側通風口
２５  排気側通風口
３７  多孔板３１，３５
１００  ランプユニット
２００  エンジン
４００  レンズユニット
【図１】
2007293116.tif 000003
【図２】
2007293116.tif 000004
【図３】
2007293116.tif 000005
【図４】
2007293116.tif 000006
【図５】
2007293116.tif 000007
【図６】
2007293116.tif 000008
【図７】
2007293116.tif 000009
【図８】
2007293116.tif 000010
【図９】
2007293116.tif 000011